(57)【要約】      （修正有）【課題】筆記機能及び接触式入力機能を兼備する入力ペンを提供する。【解決手段】本入力ペンは、軸方向に沿って空洞部が設けられているスリーブ１０及びペン先アセンブリ２０を備える。前記ペン先アセンブリは、ペン軸部２２と、該ペン軸部の両端に位置する第一固定部及び第二固定部と、前記第一固定部から延伸してなる第一ペン先部２４と、前記第二固定部から延伸してなる第二ペン先部とを備える。前記ペン軸部の前記第一固定部及び前記第二固定部の何れか一方を、前記スリーブの空洞部に挿入して固定すると、前記ペン軸部の前記第一固定部及び前記第二固定部の何れか他方は、前記スリーブの前記空洞部から露出するので、前記第一ペン先部及び前記第二ペン先部が切り替えられて使用される。【選択図】図１
0003171232.tif 000002
【実用新案登録請求の範囲】
【請求項１】
軸方向に沿って空洞部が設けられているスリーブ、及びペン先アセンブリを備える入力ペンであって、
前記ペン先アセンブリは、ペン軸部と、前記ペン軸部の両端に位置する第一固定部及び第二固定部と、前記第一固定部から延伸してなる第一ペン先部と、前記第二固定部から延伸してなる第二ペン先部と、を備え、
前記ペン軸部の前記第一固定部及び前記第二固定部の何れか一方を、前記スリーブの空洞部に挿入して固定すると、前記ペン軸部の前記第一固定部及び前記第二固定部の何れか他方は、前記スリーブの前記空洞部から露出するので、前記第一ペン先部及び前記第二ペン先部が切り替えられて使用されることを特徴とする入力ペン。
【請求項２】
前記第一固定部及び前記第二固定部は、前記スリーブ内に嵌合されるか又は螺合されることを特徴とする請求項１に記載の入力ペン。
【請求項３】
前記ペン軸部の前記第二固定部には収容部が設けられ、前記ペン先アセンブリは、前記収容部に装着されるペン芯部をさらに備え、前記第二ペン先部は、前記ペン芯部の一端に設けられることを特徴とする請求項１又は２に記載の入力ペン。
【請求項４】
前記第一ペン先部は、タッチパネルに入力することに用いられ、前記第二ペン先部は、筆記することに用いられることを特徴とする請求項１から３の何れか一項に記載の入力ペン。
【考案の詳細な説明】
【技術分野】
【０００１】
本考案は、入力ペンに関し、特に多機能の入力ペンに関するものである。
【背景技術】
【０００２】
従来の電子装置に用いられる入力ペンは、単純な接触式入力機能だけを有し、紙などに筆記することができない。人々が外出の際に電話番号及びアドレスなどの情報を記録しようとする場合に、ボールペン等を持っていなければもどかしい思いをする。ゆえに、人々は入力ペンを携帯すると共に、筆記用のペンを携帯する必要がある。従って、携帯する物品の数量が増加して、使用者の負担が増える。
【考案の概要】
【考案が解決しようとする課題】
【０００３】
本考案は上記の問題点を考慮してなされたものであり、筆記機能及び接触式入力機能を兼備する入力ペンを提供することを目的とする。
【課題を解決するための手段】
【０００４】
上記の目的を達成するために、本考案に係る入力ペンは、軸方向に沿って空洞部が設けられているスリーブ及びペン先アセンブリを備える。前記ペン先アセンブリは、ペン軸部と、前記ペン軸部の両端に位置する第一固定部及び第二固定部と、前記第一固定部から延伸してなる第一ペン先部と、前記第二固定部から延伸してなる第二ペン先部と、を備える。前記ペン軸部の前記第一固定部及び前記第二固定部の何れか一方を、前記スリーブの空洞部に挿入して固定すると、前記ペン軸部の前記第一固定部及び前記第二固定部の何れか他方は、前記スリーブの前記空洞部から露出するので、前記第一ペン先部及び前記第二ペン先部が切り替えられて使用される。
【考案の効果】
【０００５】
従来の技術と比較して、本考案の入力ペンを使用する際、ペン先アセンブリの第一ペン先部に近い一端の固定部をスリーブ内に挿入して固定すると、前記入力ペンの筆記機能を使用できる。また、ペン先アセンブリの第二ペン先部に近い一端の固定部をスリーブ内に挿入して固定すると、前記入力ペンの接触式入力機能を使用できる。前記入力ペンの筆記機能及び接触式入力機能を切り替える場合、前記ペン先アセンブリの前記スリーブに嵌合される一端を前記スリーブから抜き出してから、前記ペン先アセンブリの向きを変えて、その他端の固定部を前記スリーブ内に嵌合すればよい。従って、本考案の入力ペンは、筆記機能及び接触式入力機能を兼備し、且つこの２つの機能を容易に切り替えて使用することができる。
【図面の簡単な説明】
【０００６】
【図１】本考案に係る入力ペンの分解図である。
【図２】図１に示した入力ペンの一部の組立図である。
【図３】図１に示した入力ペンの全体の組立図である。
【図４】図３に示した入力ペンの１つの使用状態を示す図である。
【図５】図３に示した入力ペンのＶ−Ｖ線に沿う断面図である。
【考案を実施するための形態】
【０００７】
図１に示したように、本考案に係る入力ペン１００は、スリーブ１０及びペン先アセンブリ２０を備える。前記ペン先アセンブリ２０は、ペン軸部２２と、前記ペン軸部２２の一端から延伸してなる第一ペン先部２４と、前記ペン軸部２２の他端に固定される第二ペン先ユニット２６と、を備える。前記スリーブ１０は、一端が開口し、且つその軸方向に沿って前記第一ペン先部２４又は前記第二ペン先ユニット２６を収納するための空洞部１２（図５を参照）が設けられている。
【０００８】
前記ペン軸部２２は、把持部２２２と、前記把持部２２２の両端に連接される第一固定部２２４ａ及び第二固定部２２４ｂとを備える。前記ペン軸部２２の、前記第一ペン先部２４とは反対側の一端には、収容部２２６（図５を参照）が設けられている。前記第二ペン先ユニット２６は、前記収容部２２６内に部分的に収納される。ユーザーは前記把持部２２２を握って、前記ペン先アセンブリ２０を前記スリーブ１０内に装入するか、又は前記スリーブ１０から前記ペン先アセンブリ２０を取り出す。前記第一固定部２２４ａ及び第二固定部２２４ｂの直径が前記把持部２２２の直径より小さいので、前記固定部２２４ａ及び第二固定部２２４ｂと前記把持部２２２との接続部位は階段状を呈する。何れか一方の固定部を前記スリーブ１０の空洞部１２内に嵌合することによって、前記ペン先アセンブリ２０を前記スリーブ１０に固定することができる。
【０００９】
前記第一ペン先部２４は、電子装置のタッチパネルに接触することで、入力機能を実現する。前記第二ペン先ユニット２６は、ペン芯部２６２及びキャップ２６４を備える。前記ペン芯部２６２は、筒状部２６２２と、前記筒状部２６２２の一端に設けられて紙等に筆記するために用いられる第二ペン先部２６２４とを備える。前記筒状部２６２２を前記ペン軸部２２の収容部２２６内に部分的に収納すると、前記第二ペン先部２６２４は前記収容部２２６から突出する。前記キャップ２６４は、前記第二ペン先部２６２４を囲むように設けられ、且つ前記筒状部２６２２を前記ペン軸部２２の収容部２２６内に止める。本実施形態において、前記第二ペン先部２６２４は、ボールペン等のペン先部である。前記筒状部２６２２内には、筆記用液体が貯蔵されている。
【００１０】
図１乃至図３に示したように、前記入力ペン１００を組立てる場合、まず、前記ペン芯部２６２の筒状部２６２２を前記ペン軸部２２の収容部２２６内に収納して、前記筒状部２６２２の末端を前記ペン軸部２２の収容部２２６の底壁に当止させると、前記第二ペン先部２６２４は前記収容部２２６から露出する。次に、前記第二ペン先部２６２４を前記キャップ２６４に貫通させて、前記キャップ２６４の末端を、前記ペン軸部２２の前記第一ペン先部２４から離れている第二固定部２２４ｂに係合する。この際、前記第二ペン先部２６２４は、前記キャップ２６４の先端から露出する。これにより、前記ペン先アセンブリ２０は、一体に組み立てられた（図２を参照）。最後に、前記ペン軸部２２の前記第二ペン先部２６２４から離れている側の第一固定部２２４ａを前記スリーブ１０の空洞部１２内に嵌合して、前記ペン先アセンブリ２０を前記スリーブ１０の一端に装着する（図４を参照）。
【００１１】
図３及び図５に示したように、前記入力ペン１００の接触式入力機能を使用する場合、前記ペン先アセンブリ２０を前記スリーブ１０から抜き出してから、前記ペン先アセンブリ２０の第二ペン先ユニット２６が設けられた一端を前記スリーブ１０の収容部１２内に挿入して、前記ペン軸部２２の前記第二ペン先部２６２４に近い側の第二固定部２２４ｂを前記スリーブ１０内に緊密に挿入して固定する。この際、ユーザーは前記第一ペン先部２４を介して電子装置のタッチパネルに入力することができる。
【００１２】
また、前記入力ペン１００の筆記機能を使用する場合、前記ペン先アセンブリ２０を前記スリーブ１０から抜き出してから、前記ペン先アセンブリ２０の第一ペン先部２４が設けられた一端を前記スリーブ１０の収容部１２内に挿入して、前記ペン軸部２２の第一ペン先部２４に近い側の第一固定部２２４ａを前記スリーブ１０内に緊密に挿入して固定する。この際、ユーザーは前記第二ペン先部２６２４を介して紙等に筆記することができる。
【００１３】
また、前記ペン軸部２２の２つの固定部と前記スリーブ１０との組立方式は、嵌合に限定されるものではなく、前記ペン軸部２２を前記スリーブ１０に着脱可能に装着できるなら、前記２つの固定部の外周面及び前記スリーブ１０の内周面にそれぞれねじ山を設けて、両者を一体に螺合してもよい。
【００１４】
また、前記ペン芯部２６２の筒状部２６２２を前記ペン軸部２２に直接に固定することができるなら、前記キャップ２６４を省略してもよい。
【００１５】
本考案の入力ペン１００によると、前記ペン先アセンブリ２０の第一ペン先部２４に近い側の第一固定部２２４ａを前記スリーブ１０内に挿入して固定すると、前記入力ペン１００の筆記機能を使用できる。また、前記ペン先アセンブリ２０の第二ペン先部２６２４に近い側の第二固定部２２４ｂを前記スリーブ１０に挿入して固定すると、前記入力ペン１００の接触式入力機能を使用できる。前記入力ペン１００の筆記機能及び接触式入力機能を切り替える場合、前記ペン先アセンブリ２０の前記スリーブ１０に嵌合される一端を前記スリーブ１０から抜き出してから、前記ペン先アセンブリ２０の向きを変えてその他端の固定部を前記スリーブ１０内に嵌合すればよい。
【００１６】
以上、本考案の好適な実施形態について詳細に説明したが、本考案は前記実施形態に限定されるものではなく、本考案の範囲内で種々の変形又は修正が可能であり、該変形又は修正もまた、本考案の特許請求の範囲内に含まれるものであることは言うまでもない。
【符号の説明】
【００１７】
１０              スリーブ
１２              空洞部
２０              ペン先アセンブリ
２２              ペン軸部
２４              第一ペン先部
２６              第二ペン先ユニット
１００            入力ペン
２２２            把持部
２２４ａ          第一固定部
２２４ｂ          第二固定部
２２６            収容部
２６２            ペン芯部
２６４            キャップ
２６２２          筒状部
２６２４          第二ペン先部
【図１】
0003171232.tif 000003
【図２】
0003171232.tif 000004
【図３】
0003171232.tif 000005
【図４】
0003171232.tif 000006
【図５】
0003171232.tif 000007